(57)【要約】  【課題】  可搬性や設置容易性、省スペース性を損なうことなく、スチール缶とアルミ缶の圧縮減容処理を効率よく行える空き缶等の選別処理装置を提供する。  【解決手段】  可搬式の第一の架台８上に搬送コンベヤ２とアルミ缶用プレス機６とを略平行に搭載し、搬送コンベヤ２の上位には略直交方向にスチール缶選別機３を配設する一方、搬送コンベヤ２の搬送端にはアルミ缶選別機４を配設し、その下位にはアルミ缶貯留ホッパ１０と、空きビン回収ホッパ７とを備える。また、第一の架台８と略平行に、かつ搬送コンベヤ２を挟んでアルミ缶用プレス機６と反対側に設置される可搬式の第二の架台９上にはスチール缶用プレス機５を搭載し、その上位にはスチール缶貯留ホッパ１１を備える。【選択図】  図２
2012005958.tif 000002
【特許請求の範囲】
【請求項１】
回収した空き缶や空きビン等を搬送する搬送コンベヤと、磁力選別式のスチール缶選別機と、渦電流選別式のアルミ缶選別機と、前記各選別機にて選別したスチール缶やアルミ缶を圧縮減容処理するプレス機と、空きビン回収用の空きビン回収ホッパとから構成される空き缶等の選別処理装置において、可搬式の第一の架台上に前記搬送コンベヤとアルミ缶用のプレス機とを略平行に搭載し、搬送コンベヤの上位にはコンベヤの搬送方向と略直交方向にスチール缶選別機を配設する一方、搬送コンベヤの搬送端にはアルミ缶選別機を配設し、該アルミ缶選別機下位にはアルミ缶選別機にて選別されたアルミ缶を一時貯留して前記アルミ缶用プレス機に供給するアルミ缶貯留ホッパと、コンベヤから落下する空きビンを回収する空きビン回収ホッパとを備えると共に、前記第一の架台と略平行に、かつ搬送コンベヤを挟んでアルミ缶用プレス機と反対側に設置される可搬式の第二の架台上にはスチール缶用のプレス機を搭載し、該スチール缶用プレス機の上位には前記スチール缶選別機にて選別されたスチール缶を一時貯留してスチール缶用プレス機に供給するスチール缶貯留ホッパを備えたことを特徴とする空き缶等の選別処理装置。
【発明の詳細な説明】
【技術分野】
【０００１】
本発明は、空き缶等の混合回収物をスチール缶、アルミ缶、空きビン等に選別し、かつ選別したスチール缶、アルミ缶を減容処理する空き缶等の選別処理装置に関する。
【背景技術】
【０００２】
自動販売機や家庭等にて発生する清涼飲料水等の空き缶、空きビン等は回収されて有効に再利用が図られている。従来、これら空き缶や空きビン等を回収する際には再利用がし易いように、その種類毎に、例えばスチール缶、アルミ缶、空きビン等とにそれぞれ分別されて回収されているが、混在したままで回収されることも多々ある。
【０００３】
このような混合回収物を選別するにあたり、手選別では作業者への負担が大きく、また処理量も限られてしまうため、本出願人は、例えば特許文献１（特開２０００−２９６３８７号公報）や、特許文献２（特開２００１−３３４３９７号公報）に示すような空き缶等の選別処理装置を既に提案している。
【０００４】
上記特許文献１、２に記載の装置では、可搬式の架台上に、混合回収物を搬送する搬送コンベヤを搭載し、該搬送コンベヤの上位には搬送中の混合回収物からスチール缶を磁力選別するスチール缶選別機を配設している一方、コンベヤの搬送端にはアルミ缶を渦電流選別するアルミ缶選別機を配設し、その下位には残った空きビン等を回収する回収ホッパ等を備えており、混合回収物をスチール缶、アルミ缶、空きビン等に容易にかつ効率よく選別処理可能としている。また、架台上の残りのスペースにはプレス機を一基搭載しており、前記スチール缶選別機やアルミ缶選別機にて選別されたスチール缶やアルミ缶を前記プレス機に個別に投入させてそれぞれ圧縮減容処理可能としている。
【０００５】
このように、上記空き缶等の選別処理装置にあっては、トラック等の荷台に積み込み可能な可搬式の架台上の限られたスペースに、搬送コンベヤや各種選別機、プレス機等を一体的に組み込んでコンパクトに構成しており、設置時にはトラック等にて架台ごと処理現場まで運び込んで設置すれば直ちに運転できて可搬性、設置容易性に優れたものとしていると共に、比較的小さい設置スペースでも設置可能な省スペース性にも長けたものとしている。
【先行技術文献】
【特許文献】
【０００６】
【特許文献１】特開２０００−２９６３８７号公報
【特許文献２】特開２００１−３３４３９７号公報
【発明の概要】
【発明が解決しようとする課題】
【０００７】
ところで、上記空き缶等の選別処理装置では、選別したスチール缶やアルミ缶を一時貯留させる各貯留ホッパに所定量貯留されれば、架台上に一体的に搭載された一基のプレス機に対して順次供給を行って圧縮減容処理するようにしているが、一基のプレス機にてスチール缶とアルミ缶を交互に圧縮減容処理する装置では、処理能力に限界があって、多量のスチール缶やアルミ缶を選別処理するとなると何れか一方の処理は待機・中断を余儀なくされて更なる処理効率の向上は望めない。
【０００８】
本発明は上記の点に鑑み、可搬性や設置容易性、省スペース性を損なうことなく、スチール缶とアルミ缶の圧縮減容処理を効率よく行える空き缶等の選別処理装置を提供することを課題とする。
【課題を解決するための手段】
【０００９】
上記の課題を解決するために、本発明に係る請求項１記載の空き缶等の選別処理装置では、回収した空き缶や空きビン等を搬送する搬送コンベヤと、磁力選別式のスチール缶選別機と、渦電流選別式のアルミ缶選別機と、前記各選別機にて選別したスチール缶やアルミ缶を圧縮減容処理するプレス機と、空きビン回収用の空きビン回収ホッパとから構成される空き缶等の選別処理装置において、可搬式の第一の架台上に前記搬送コンベヤとアルミ缶用のプレス機とを略平行に搭載し、搬送コンベヤの上位にはコンベヤの搬送方向と略直交方向にスチール缶選別機を配設する一方、搬送コンベヤの搬送端にはアルミ缶選別機を配設し、該アルミ缶選別機下位にはアルミ缶選別機にて選別されたアルミ缶を一時貯留して前記アルミ缶用プレス機に供給するアルミ缶貯留ホッパと、コンベヤから落下する空きビンを回収する空きビン回収ホッパとを備えると共に、前記第一の架台と略平行に、かつ搬送コンベヤを挟んでアルミ缶用プレス機と反対側に設置される可搬式の第二の架台上にはスチール缶用のプレス機を搭載し、該スチール缶用プレス機の上位には前記スチール缶選別機にて選別されたスチール缶を一時貯留してスチール缶用プレス機に供給するスチール缶貯留ホッパを備えたことを特徴としている。
【発明の効果】
【００１０】
本発明に係る請求項１記載の空き缶等の選別処理装置によれば、回収した空き缶や空きビン等を搬送する搬送コンベヤと、磁力選別式のスチール缶選別機と、渦電流選別式のアルミ缶選別機と、前記各選別機にて選別したスチール缶やアルミ缶を圧縮減容処理するプレス機と、空きビン回収用の空きビン回収ホッパとから構成される空き缶等の選別処理装置において、可搬式の第一の架台上に前記搬送コンベヤとアルミ缶用のプレス機とを略平行に搭載し、搬送コンベヤの上位にはコンベヤの搬送方向と略直交方向にスチール缶選別機を配設する一方、搬送コンベヤの搬送端にはアルミ缶選別機を配設し、該アルミ缶選別機下位にはアルミ缶選別機にて選別されたアルミ缶を一時貯留して前記アルミ缶用プレス機に供給するアルミ缶貯留ホッパと、コンベヤから落下する空きビンを回収する空きビン回収ホッパとを備えると共に、前記第一の架台と略平行に、かつ搬送コンベヤを挟んでアルミ缶用プレス機と反対側に設置される可搬式の第二の架台上にはスチール缶用のプレス機を搭載し、該スチール缶用プレス機の上位には前記スチール缶選別機にて選別されたスチール缶を一時貯留してスチール缶用プレス機に供給するスチール缶貯留ホッパを備えたので、混合回収物から選別処理されるスチール缶とアルミ缶とを専用に備えた二基のプレス機にてそれぞれ適宜タイミングで個別に圧縮減容処理することが可能となり、効率よく処理作業ができる。また、二基の上記プレス機は可搬式の二台の架台上にそれぞれ別々に搭載してその他各装置等と共に一体的に組み込んでユニット化すると共に、各架台設置時には搬送コンベヤを中心としてその両側に各プレス機が略平行に配置されるように構成したので、可搬性や設置容易性、並びに省スペース性を損なうことなく取り扱い易い好適なものとすることができる。
【図面の簡単な説明】
【００１１】
【図１】本発明に係る空き缶等の選別処理装置の一実施例の正面図である。
【図２】図１の平面図である。
【図３】図１の一部を省略した側面図である。
【図４】図１の一部を省略したＡ−Ａ断面図である。
【発明を実施するための形態】
【００１２】
本発明に係る空き缶等の選別処理装置によれば、トラックの荷台等に積み込み可能な可搬式の架台を二台備え、このうち第一の架台上には、回収した空き缶や空きビン等を搬送する搬送コンベヤと、アルミ缶圧縮減容処理用のプレス機とを略平行に搭載し、搬送コンベヤの上位にはコンベヤの搬送方向と略直交方向に磁力選別式のスチール缶選別機を配設している一方、搬送コンベヤの搬送端には渦電流選別式のアルミ缶選別機を配設していると共に、該アルミ缶選別機の下位前方側にはアルミ缶選別機にて前方へ弾き飛ばされるようにして選別されるアルミ缶を一時貯留して前記アルミ缶用プレス機に供給するアルミ缶貯留ホッパを、またアルミ缶選別機の下位手前側にはコンベヤからほぼ真下へ落下する空きビンを回収する空きビン回収ホッパをそれぞれ備えている。また、第二の架台上には、スチール缶圧縮減容処理用のプレス機を搭載していると共に、該スチール缶用プレス機の上位には前記スチール缶選別機にて選別されるスチール缶を一時貯留してスチール缶用プレス機に供給するスチール缶貯留ホッパを備えている。
【００１３】
そして、上記構成の空き缶等の選別処理装置を処理現場に設置するときには、前記各装置が一体的に搭載された第一の架台と第二の架台をそれぞれ個別にトラック等に積み込んで処理現場まで運び込む。そして、先ず、第一の架台を処理現場に配し、搭載した搬送コンベヤやスチール缶選別機、アルミ缶選別機、アルミ缶貯留ホッパ、アルミ缶用プレス機、及び空きビン回収ホッパ等を設置させる。次いで、第二の架台を第一の架台と略平行に、かつ搬送コンベヤを挟んでアルミ缶用プレス機と反対側に配し、搭載したスチール缶用プレス機、及びスチール缶貯留ホッパ等を設置させ、選別処理装置の設置を完了する。このとき、回収した空き缶や空きビン等を搬送する搬送コンベヤを中心としてその両側に、アルミ缶用プレス機とスチール缶用プレス機がそれぞれ略平行に配置されることになり、処理効率に優れ、比較的コンパクトな装置構成としている。
【００１４】
こうして設置を完了した上記空き缶等の選別処理装置を使用して空き缶や空きビン等の混合回収物を選別処理するときには、搬送コンベヤ上流側より混合回収物を所定量ずつ投入していく。投入した混合回収物は、先ず、その搬送経路の途中で上位のスチール缶選別機にてスチール缶が選別処理されてスチール缶貯留ホッパに貯留されると共に、残りの混合回収物のうちアルミ缶はコンベヤ搬送端のアルミ缶選別機にて前方へ弾き飛ばされるようにして選別処理されてアルミ缶貯留ホッパに貯留される一方、空きビンはコンベヤ搬送端からほぼ真下に落下して空きビン回収ホッパに回収されていく。そうして、スチール缶貯留ホッパ内のスチール缶貯留量や、アルミ缶貯留ホッパ内のアルミ缶貯留量がそれぞれ所定量になれば、各ホッパより適宜排出して下流のスチール缶用プレス機、或いはアルミ缶用プレス機に供給し、個別に圧縮減容処理を行ってブロック状に成形して排出する。
【００１５】
このように、本処理装置においては、空き缶や空きビン等の混合回収物から選別処理されるスチール缶とアルミ缶を、専用に備えた二基のプレス機にてそれぞれ適宜タイミングにて個別に圧縮減容処理することが可能となり、処理待ち等も無くて効率よく処理作業を行える。また、これら二基の専用プレス機は可搬式の二台の架台上にそれぞれ別々に搭載させるようにしたので、トラック等に積み込み可能なサイズに制限される架台上にも無理なく搭載させてユニット化することが可能となり、可搬性や設置容易性を損なうことが無く、また設置時には搬送コンベヤを中心としてその両側にスチール缶用プレス機とアルミ缶用プレス機とがそれぞれ略平行に配置される構成としたので、装置全体を比較的コンパクトにまとめることができて省スペース性も保て、取り扱い易い好適なものとすることができる。
【実施例】
【００１６】
以下、本発明の実施例を図面に基づいて説明する。
【００１７】
図中の１はスチール缶やアルミ缶、空きビン等の混合回収物を選別し、かつ選別したスチール缶やアルミ缶を減容処理する空き缶等の選別処理装置であって、回収したスチール缶やアルミ缶、空きビン等を搬送する搬送コンベヤ２と、磁力選別式のスチール缶選別機３と、渦電流選別式のアルミ缶選別機４と、スチール缶を圧縮減容処理するスチール缶用プレス機５と、アルミ缶を圧縮減容処理するアルミ缶用プレス機６と、空きビン回収用の空きビン回収ホッパ７等の各装置を主体に構成している。
【００１８】
また、８、９はトラックの荷台等に積み込み可能なサイズの可搬式の架台であって、このうち第一の架台８上には、図に示すように、前記搬送コンベヤ２とアルミ缶用プレス機６とを略平行に搭載していると共に、搬送コンベヤ２の上位にはコンベヤの搬送方向と略直交方向にスチール缶選別機３を配設している一方、搬送コンベヤ２の搬送端にはアルミ缶選別機４を配設し、該アルミ缶選別機４の下位前方側にはアルミ缶貯留ホッパ１０を、またアルミ缶選別機４の下位手前側には空きビン回収ホッパ７をそれぞれ備えている。また、第二の架台９上には、前記スチール缶用プレス機５を搭載していると共に、該スチール缶用プレス機５の上位にはスチール缶貯留ホッパ１１を備えている。
【００１９】
１２は空き缶や空きビン等を回収したゴミ袋を破袋処理する破袋台であって、基台１３上に上部を開放して下部に排出口を有する受けホッパ１４を配設しており、該受けホッパ１４の上部開放部には破袋作業用の台面１５を備えている。前記台面１５は複数の平鋼等を所定間隔にて略平行に配置し、その配置間隔は空き缶や空きビンが通り抜けることの無いようにしながらもできるだけ広い隙間を確保させてスノコ状に形成しており、回収した空き缶や空きビン等に付随する残渣等の異物を前記隙間より下方に落下させることで効率よく除去可能としている。また、受けホッパ３下部の排出口の下位には、台面１５の隙間より落下させて除去した異物を回収する異物回収ホッパ１６を備えている。
【００２０】
破袋台１２の下流側には、破袋処理したゴミ袋より取り出される空き缶や空きビン等を搬送する搬送コンベヤ２を、上記のように第一の架台８上に搭載させた状態で配設しており、該搬送コンベヤ２は上端部のヘッドプーリ１７と下端部のテールプーリ１８とに亘ってひれ付きの無端ベルト１９を巻回し、本体フレーム２０を所定角度に傾斜させて配設していると共に、その上部は折曲して略水平になるように形成し、駆動モータ（図示せず）によってテールプーリ１８を回転させて無端ベルト１９を回転させるようにしている。
【００２１】
搬送コンベヤ２の水平部の上位には、搬送コンベヤ２の搬送方向と略直交方向に磁力選別式のスチール缶選別機３を配設している。前記スチール缶選別機３は、駆動モータ（図示せず）によって循環するベルト２１の内側部に磁石２２を備えており、下位の搬送コンベヤ２の無端ベルト１９上を搬送される空き缶や空きビン等からスチール缶を吸着して選別し、ベルト２１端部の下位に備えたスチール缶貯留ホッパ１１に排出して一時貯留させる構成としている。また、スチール缶貯留ホッパ１１の排出口には排出ゲート（図示せず）を開閉自在に備えていると共に、ホッパの所定高さ位置にはレベルセンサ（図示せず）を備えている。
【００２２】
搬送コンベヤ２の搬送端のヘッドプーリ１７には磁石を周囲に固着した回転ロータ２３を内蔵し、駆動モータ２４により前記回転ロータ２３を回転させることによって周囲に発生する磁界とその磁界によりアルミ缶に発生する渦電流による磁界とを反発させてアルミ缶を前方に弾き飛ばすアルミ缶選別機４を形成していると共に、該アルミ缶選別機４の下位前方側には弾き飛ばされて選別されたアルミ缶を一時貯留するアルミ缶貯留ホッパ１０を備えている一方、アルミ缶選別機４の下位手前側にはコンベヤからほぼ真下に落下する空きビンを回収する空きビン回収ホッパ７を備えている。また、アルミ缶貯留ホッパ１０の排出口には排出ゲート（図示せず）を開閉自在に備えていると共に、ホッパの所定高さ位置にはレベルセンサ（図示せず）を備えている。
【００２３】
また、前記したように、第一の架台８上にはアルミ缶を圧縮減容処理するアルミ缶用プレス機６を前記搬送コンベヤ２と略平行に搭載しており、前記アルミ缶貯留ホッパ１０より排出されるアルミ缶を投入するプレスホッパ２５内に、一端をシリンダ２６に連結したプッシャ２７を摺動させてプレスホッパ２５内に投入したアルミ缶を圧縮減容処理し、運搬や取り扱い等に適したブロック状に成形したものを下流の昇降ゲート２８を開放して押し出すようにしている。
【００２４】
また、第二の架台９上にはスチール缶用プレス機５を搭載しており、その構造は前記アルミ缶用プレス機６とほぼ同様の構造を採用しており、前記スチール缶貯留ホッパ１１より排出されるスチール缶を投入するプレスホッパ２９内に、一端をシリンダ３０に連結したプッシャ３１を摺動させてプレスホッパ２９内に投入したスチール缶を圧縮減容処理し、ブロック状に成形したものを下流の昇降ゲート３２を開放して押し出すようにしている。なお、このスチール缶用プレス機５から排出されるブロック状のスチール缶と、前記アルミ缶用プレス機６から排出されるブロック状のアルミ缶とは、図面に示すように、共に搬送コンベヤ２の搬送端側に排出されるようにしており、作業効率の向上を図っている。
【００２５】
そして、上記構成の空き缶等の選別処理装置１を処理現場に設置するときには、前記第一の架台８と第二の架台９、並びに破袋台１２等をそれぞれトラックの等に積み込み、処理現場まで運び込む。そして、先ず、第一の架台８を処理現場の適当な場所に配し、第一の架台８上に搭載している搬送コンベヤ２や、スチール缶選別機３、アルミ缶選別機４、アルミ缶貯留ホッパ１０、アルミ缶用プレス機６、及び空きビン回収ホッパ７等を設置させる。次いで、第二の架台９を第一の架台８と略平行に、かつ搬送コンベヤ２を挟んでアルミ缶用プレス機６と反対側に配すると共に、第一の架台８上のスチール缶選別機３端部を第二の架台９上のスチール缶貯留ホッパ１１開口部に臨ませるように調整して、第二の架台９上に搭載しているスチール缶用プレス機５、及びスチール缶貯留ホッパ１１等を設置させる。そして最後に、第一の架台８の搬送コンベヤ２の投入口側に破袋台１２を設置し、空き缶等の選別処理装置１の設置を完了する。
【００２６】
このとき、設置現場には回収した空き缶や空きビン等を搬送する搬送コンベヤ２を中心としてその両側に、選別処理したアルミ缶とスチール缶を圧縮減容処理するアルミ缶用プレス機６とスチール缶用プレス機５がそれぞれ略平行に配置されることになり、処理効率に優れると共に、装置全体を比較的コンパクトにまとめることができて省スペース化を図れるものとしている。
【００２７】
そして、上記空き缶等の選別処理装置１を使用して空き缶や空きビン等の混合回収物を選別処理するときには、先ず、破袋台１２にて空き缶や空きビン等を回収したゴミ袋を破袋処理し、このゴミ袋と共に残渣等の不純物を取り除いて空き缶や空きビン等の混合回収物を下流の搬送コンベヤ２に所定量ずつ投入していく。投入した混合回収物はコンベヤ下流の搬送端側へ順次送り出されていき、その搬送経路の上位に配したスチール缶選別機３にて、先ずスチール缶が選別処理されてスチール缶貯留ホッパ１１に一時的に貯留されていくと共に、残りの混合回収物のうちアルミ缶はコンベヤ搬送端のアルミ缶選別機４にて前方へ弾き飛ばされるようにして選別処理されてアルミ缶貯留ホッパ１０に一時的に貯留されていく一方、空きビンはコンベヤ搬送端のほぼ真下へと落下して空きビン回収ホッパ７に回収されていく。
【００２８】
そうして、スチール缶貯留ホッパ１１やアルミ缶貯留ホッパ１０にスチール缶やアルミ缶が所定量（例えば、スチール缶用プレス機５のプレスホッパ２９やアルミ缶用プレス機６のプレスホッパ２５内に一度に受け入れ可能な量）貯留されたことを各ホッパ内のレベルセンサが検出すると、各ホッパの排出ゲートを開放して排出させ、下流のスチール缶用プレス機５、或いはアルミ缶用プレス機６に供給し、それぞれ個別に圧縮減容処理を行って運搬や取り扱い等に適したブロック状に成形して排出する。
【００２９】
このように、本発明の空き缶等の選別処理装置１によれば、空き缶や空きビン等の混合回収物から選別処理されるスチール缶とアルミ缶を、専用に備えた二基のスチール缶用プレス機５とアルミ缶用プレス機６にてそれぞれ適宜タイミングにて個別に圧縮減容処理することが可能となり、処理待ち等を極力防止できて効率よく処理作業を行える。また、これら二基のスチール缶用プレス機５とアルミ缶用プレス機６は可搬式の二台の架台８、９上にそれぞれ別々に搭載させるようにしたので、トラック等への積み込み可能なサイズに制限される架台上にも無理なく搭載させてその他装置等と一体的に組み込んでユニット化することが可能となり、可搬性や設置容易性を損なうことが無い。また、設置時には搬送コンベヤ２を中心としてその両側にスチール缶用プレス機５とアルミ缶用プレス機６とがそれぞれ略平行に配置される構成としたので、装置全体を比較的コンパクトにまとめることができて省スペース性も維持でき、取り扱い易い好適なものとすることができる。
【符号の説明】
【００３０】
１…空き缶等の選別処理装置        ２…搬送コンベヤ
３…スチール缶選別機              ４…アルミ缶選別機
５…アルミ缶用プレス機            ６…スチール缶用プレス機
７…空きビン回収ホッパ            ８…第一の架台
９…第二の架台                  １０…アルミ缶貯留ホッパ
１１…スチール缶貯留ホッパ        １２…破袋台
【図１】
2012005958.tif 000003
【図２】
2012005958.tif 000004
【図３】
2012005958.tif 000005
【図４】
2012005958.tif 000006